(57)【特許請求の範囲】
【請求項１】
複数のＣＭ素材が入力される入力部と、上記入力される複数のＣＭ素材が記録されるデータベース部と、上記複数のＣＭ素材にＣＭＩＤを付加するコード付加部と、上記ＣＭ素材を表示するモニタと、上記データベース部、上記コード付加部および上記モニタを制御する収録制御部および上記収録制御部に接続される操作部を有し、上記データベース部は、番組素材収録部とＣＭ素材収録部を有し、上記収録制御部は、上記入力部から入力される複数のＣＭ素材をそれぞれ番組素材ＩＤ毎に分割して上記番組素材収録部に収録し、各々のＣＭ素材の放送開始時刻の所定時間前になったとき、上記番組素材収録部に収録された番組素材ＩＤ毎のＣＭ素材に上記コード付加部で上記ＣＭＩＤを付加されて上記ＣＭ素材収録部に収録する機能を有し、上記モニタは、現在放送中のＣＭ素材のデータ及び次に放送する予定のＣＭ素材のデータを表示することを特徴とする放送素材の収録装置。
【請求項２】
請求項１記載の放送素材の収録装置において、上記収録制御部は、更に、上記入力部から入力される複数のＣＭ素材をそれぞれ番組素材ＩＤ毎に分割して上記番組素材収録部に収録されるＣＭ素材を上記モニタに表示し、上記操作部から入力されるコメントを上記モニタに表示されたＣＭ素材に対応させて上記番組素材収録部に収録する機能を有することを特徴とする放送素材の収録装置。
【請求項３】
複数のＣＭ素材が入力される入力部と、上記入力される複数のＣＭ素材が記録されるデータベース部と、上記複数のＣＭ素材にＣＭＩＤを付加するコード付加部と、上記ＣＭ素材を表示するモニタと、上記データベース部、上記コード付加部および上記モニタを制御する収録制御部および上記収録制御部に接続される操作部を有し、上記データベース部には、番組素材収録部とＣＭ素材収録部を有する放送素材の収録装置において、複数のＣＭ素材が入力されるステップ、上記入力される複数のＣＭ素材をそれぞれ番組素材ＩＤ毎に分割して上記番組素材収録部に収録するステップ、各々のＣＭ素材の放送開始時刻の所定時間前になったとき上記番組素材収録部に収録された番組素材ＩＤ毎のＣＭ素材にＣＭＩＤを付加するステップ、ＣＭＩＤを付加された番組素材ＩＤ毎のＣＭ素材をＣＭ素材収録部に収録するステップ、および現在放送中のＣＭ素材のデータ及び次に放送する予定のＣＭ素材のデータを表示するステップを有することを特徴とする放送素材の収録方法。
【発明の詳細な説明】
【技術分野】
【０００１】
本発明は、放送素材の収録装置および収録方法に関し、特に、放送素材を効率良く、かつ、信頼性の高い放送素材の収録装置および収録方法に関するものである。
【背景技術】
【０００２】
放送番組の制作から送出までの大まかな流れは、まず、番組の構成を計画し、その計画に従って番組、ＣＭ（Commercial Message）、番宣（番組の紹介）等の適切な素材を集めて放送番組の収録サーバ装置（収録装置）に収録する。そして、番組放送スケジュールに基づいて各番組素材を収録サーバ装置から読み出して送出装置から送出するというものである。この場合、放送番組の収録作業において、素材の供給は、磁気テープ等の記録媒体を用いて行われる場合と通信回線を介して行われる場合等がある。前者の場合は、例えば、ビデオカメラで撮影された放送素材やこれら放送素材を加工、編集したものを記録した記録媒体を放送局に持ち込む等による供給であり、後者の場合は、例えば、カメラで撮影された映像やＣＭ製作スタジオ等からの通信伝送路による放送素材の供給である。
【０００３】
近年、テレビジョン放送システムのディジタル化が急速に発展するにつれ、収録サーバ装置に収録された番組素材を送出装置で送出する、所謂、オンエア送出には、従来のＶＴＲ(ビデオテープレコーダ)を用いて放送業務を行う放送システム、いわゆるＶＴＲ放送システムに代えて、ノンリニア放送システムと呼ばれるシステムが、放送業務用として使用され始めてきている（例えば、特許文献１参照）。
【０００４】
このノンリニア放送システムは、複数の番組素材を、ランダムアクセスが可能な記憶装置に予め記録しておき、自動放送システムからの指示により、順次、放送スケジュールに従って、各番組素材ごとに選択して読出すことにより、複数の番組素材が所定の順序で時系列的に並んだ放送プログラムとして組立てられるようにし、これを放送するようにしたシステムである。このようなシステムを、以下、ノンリニア放送システムと呼ぶことにする。ここで、番組素材とは、映像情報と音声情報のうち、少なくとも映像情報を含むテレビジョン放送用の情報のことを指し、従って、番組素材の集合が番組となる。なお、この番組素材については、放送素材と呼ばれる場合もある。
【０００５】
このようなノンリニア放送システムとしては、従来から、例えば図９に示す放送システムが用いられている。以下このノンリニア放送システムについて簡単に説明する。図９において、９０１は、放送管理コンピュータ、９０２は、自動放送システム（ＡＰＳ）である。この自動放送システム９０２には、送出制御部９０３と、収録素材のデータベース９０４およびモニタ９０５が備えられている。収録素材のデータベース９０４は、多数の番組素材９０６を適宜収録し、また、送出制御部９０３の制御により収録素材のデータベース９０４に収録された多数の番組素材から適宜読み出され、オンエアのために番組素材の送出（９０７）をする働きをする。
【０００６】
放送管理コンピュータ９０１は、放送業務に関する全てのデータを管理する働きをするもので、その処理の一環として、例えば、１日分あるいは１週間分の放送プログラムに必要な複数の素材の放送スケジュールを、対応する素材のそれぞれが放送される順番に収録されている放送進行データとして保持し、それを自動放送システム９０２に供給する処理を行う。図１０は、例えば、１日分の放送プログラムに必要な複数の素材の放送スケジュール表の一部を例示するもので、時間は、ある日の放送開始の時間、例えば、１２時、００分、００秒を表し、番組の長さは、その番組の放送時間、例えば、１５秒間を表す。素材ＩＤは、例えば、番組素材を特定するためのＩＤ番号で、Ａ社のＣＭの場合、ＡＣ１で示されている。番組の内容は、例えば、Ａ社のＣＭというタイトルを表す。コメント欄は、放送局の本局とか、地方局での放送内容かどうかを表示するもので、Ａ社のＣＭの場合は、Ａ局で放送と表示されている。なお、コメント欄には、その番組を放送する地方局、例えば、Ａ局とか、その他放送上での必要なコメント等が記載される。番地は、その放送の番組素材が格納されている収録素材のデータベース９０４の収録番地を示している。このような内容が各時間毎に放送スケジュールとして前もって計画し、作成されている。
【０００７】
自動放送システム９０２は、図１０で示す放送スケジュール表に従って、まず、各々の素材の放送開始時刻の所定時間前になったとき、その素材の素材ＩＤ(素材に対する識別コード)を送出制御部９０３に供給する。次に、各々の素材の放送開始時刻になったとき、その素材の放送開始命令を送出制御部９０３に供給する。収録素材のデータベース９０４は、磁気ディスク装置、光ディスク装置、ＤＶＤ（Digital Versatile Disk）装置等のランダムアクセスが可能な記録装置で構成され、放送プログラム１日分あるいは１週間分の素材を予め格納保持すると共に、送出制御部９０３の制御のもとで動作するようになっている。従って、送出制御部９０３は、自動放送システム９０２から供給された素材ＩＤを用いて収録素材のデータベース９０４内の素材を検索し、キューアップ(放送開始可能状態にすること)し、素材の放送開始命令に応じて、順次、キューアップされた素材を収録素材のデータベース９０４から読み出して放送装置に送出する働きをすることになり、これにより自動放送システムとしての動作を行なう。
【０００８】
モニタ９０５は、自動放送システム９０２により制御され、放送業務の現在の進行状況を表示する働きをする。このモニタ９０５には、例えば、現在放送している素材を含む番組(複数の素材の集合)の識別コード、番組名、放送開始時刻、素材の長さ、素材の識別コード等、現在放送中の素材のデータ及び次に放送する予定の素材のデータなどが表示される。従って、このノンリニア放送システムによれば、モニタ９０５を見ることにより、放送プログラムが予定通りに進んでいるか否かを知り、放送進行状況を確認することができる。
【０００９】
而して、上述したノンリニア放送システムは、放送プログラム１日分あるいは１週間分の素材を予め収録素材のデータベース９０４に格納し、放送管理コンピュータ９０１からの、例えば、１日分の放送スケジュールの制御に基いて自動で放送されるシステムであり、オンエアで送出する放送業務については、従来のＶＴＲを用いて放送業務を行う放送システムからは各段に良くなっている。しかしながら、このノンリニア放送システムに適合させるためには、収録素材のデータベース９０４に予め放送プログラム１日分の素材を編集して格納しておくことが必要であるが、この収録作業は、従来、人手によるしか方法がなかった。即ち、前述したように、収録のための素材の供給は、磁気テープ等の記録媒体を用いて行われる場合と通信回線を介して行われる場合等があることを説明した。このような素材から番組のための素材を収録するためには、例えば、数台のＶＴＲ編集機と複数の入力回線を備えた収録装置を準備し、そして、収録時には、ＶＴＲ番号や回線番号を素材の供給元に指定するとともに、収録素材のデータベースの記録番地を素材の供給先に指定し、さらに、放送素材ごとの様々な属性情報、ロゴマークなどをマウス、あるいは、キーボード等の操作部から入力して収録準備をした後、ビデオサーバ・システムの収録動作を開始することとなる。
【００１０】
ここで、ＣＭあるいは番宣素材等の従来の収録装置について図１１〜図１３を用いて説明する。図１１は、従来のＣＭあるいは番宣素材等の収録の一例を概念的に説明するための図である。図１１において、１１０１は、入力端子、１１０２は、収録素材のデータベース、１１０３は、出力端子を示す。入力端子１１０１には、ＣＭあるいは番宣素材等が、例えば、製作会社からネット回線等の伝送路を介して供給される。これら送られてきたＣＭあるいは番宣素材等は、収録素材のデータベース１１０２に、伝送路から送られてきた順序に順次収録される。収録素材のデータベース１１０２に示される素材Ａは、例えば、Ａ社のＣＭ、素材Ｂは、例えば、Ｂ社のＣＭ、素材Ｃは、例えば、Ｃ社のＣＭを表わしている。また、Ａ１、Ｂ１、Ｃ１は、それぞれ収録された素材についての会社名、タイトル、放送日時、放送時間長等の各種データが各素材の先頭部分に記録されている。
【００１１】
しかしながら上述のようにして収録されたＣＭ素材は、そのままでは自動的に放送できないため、オペレータが手動で、各ＣＭ素材を順次読み出し、放送に必要な素材を抽出して放送するものである。従って、このような方法では、収録されたＣＭあるいは番宣素材等は、収録素材のデータベース上で全てのＣＭあるいは番宣素材等が１素材として管理されるため、全てのＣＭあるいは番宣素材等の使用期限が過ぎるまでは、素材の削除を行うことが出来ず、収録素材のデータベース１１０２の容量を圧迫することとなる。また、収録時に個々の素材に対して放送確認コード（これについては後述する。）を付けることができないので、正しく放送されたかどうかの確認ができない。また、この方法は、オペレータが各ＣＭ素材について手動で編集する必要があるので、オペレータにとっては大変な仕事となる。
【００１２】
図１２は、従来のＣＭあるいは番宣素材等の収録の他の一例を概念的に説明するための図である。図１２において、伝送路から送られてくるＣＭあるいは番宣素材等は、入力端子１２０１から一旦、例えば、ＶＴＲ１２０２に記録される。この場合のＡ１、素材Ａ、Ｂ１、素材Ｂ、Ｃ１、素材Ｃは、図１１のものと同じである。ＶＴＲ１２０２に記録された各素材は、オペレータによって各素材毎に読み出され、コード付加装置１２０３で、それぞれ放送確認コードが付され、収録素材のデータベース１２０４に収録される。ここでＡ２、Ｂ２、Ｃ２は、会社名、放送日時、放送時間、放送確認コード等の各種データを表わし、各素材毎に区分して付されている。なお、放送確認コードは、各素材のＩＤであっても良い。このようにして収録素材のデータベース１２０４に収録されたＣＭあるいは番宣素材等は、それぞれ放送確認コード（素材ＩＤ）を付され、それぞれ区別して収録されているので、自動放送システムでオンエアーが可能であり、自動放送システムからの指令で、出力端子１２０５から必要なＣＭあるいは番宣素材等が送出される。
【００１３】
しかしながら、この方法は、ＣＭあるいは番宣素材等を一旦ＶＴＲに収録するため、外部にＶＴＲが必要となる。また、ＶＴＲに収録後に各ＣＭあるいは番宣素材等の開始点をＶＴＲ上で確認し、読み出しの際に各ＣＭあるいは番宣素材等の頭出しを行う必要があるため、やはりオペレータの負担が大きくなる。
【００１４】
図１３は、従来のＣＭあるいは番宣素材等の収録の更に他の一例を概念的に説明するための図である。図１３において、入力端子１３０１には、ネット回線等の伝送路から前もって全ての各ＣＭあるいは番宣素材等の開始点、会社名、放送日時、放送時間等の各種データが入力され、これら各ＣＭあるいは番宣素材等にコード付加装置１３０２で放送確認コード（素材ＩＤ）が付加され、収録素材のデータベース１３０３に収録される。このようにして収録素材のデータベース１３０３に収録されたＣＭあるいは番宣素材等は、それぞれ放送確認コード（素材ＩＤ）を付され、それぞれ区別して収録されているので、自動放送システムでオンエアーが可能であり、自動放送システムからの指令で、出力端子１３０４から必要なＣＭあるいは番宣素材等が送出される。
【００１５】
しかしながら、この方法は、ネット回線等の伝送路から送られてくる各ＣＭあるいは番宣素材等に事前に素材の開始点及び収録長等を正確に記録している場合は問題ないが、データが誤っていたり、また、直前で変更となった場合等は、対応ができず、自動放送システムとしては信頼性に欠けるという問題がある。
【００１６】
以上説明したように従来の収録装置には、種々の問題があり、これらを解決して信頼性の高い、しかも人手があまりかからない放送素材の収録装置および収録方法の実現が望まれている。
【００１７】
【特許文献１】特開２０００−２０１１２１号公報
【発明の開示】
【発明が解決しようとする課題】
【００１８】
従来の収録装置には、煩雑な収録作業があり、これらを解決して信頼性の高い、しかも人手があまりかからない放送素材の収録装置および収録方法の実現が望まれている。
【００１９】
本発明の目的は、信頼性の高い放送素材の収録装置および収録方法を提供することである。
【００２０】
本発明の他の目的は、放送された素材の確認が容易な放送素材の収録装置および収録方法を提供することである。
【００２１】
本発明の更に他の目的は、人手のかからない放送素材の収録装置および収録方法を提供することである。
【課題を解決するための手段】
【００２２】
本発明の放送素材の収録装置は、複数のＣＭ素材が入力される入力部と、上記入力される複数のＣＭ素材が記録されるデータベース部と、上記複数のＣＭ素材に付加されるコードを生成するコード付加部と、上記ＣＭ素材を表示するモニタと、上記データベース部、上記コード付加部および上記モニタを制御する収録制御部および上記収録制御部に接続される操作部を有し、上記データベース部は、番組素材収録部とＣＭ素材収録部を有し、上記収録制御部は、上記入力部から入力される複数のＣＭ素材をそれぞれ番組素材ＩＤ毎に分割して上記番組素材収録部に収録し、上記番組素材収録部に収録された番組素材ＩＤ毎のＣＭ素材に上記コード付加部から出力されるＣＭＩＤを付して上記ＣＭ素材収録部に収録する機能を有するように構成される。
【００２３】
また、本発明の放送素材の収録装置において、上記収録制御部は、更に、上記入力部から入力される複数のＣＭ素材をそれぞれ番組素材ＩＤ毎に分割して上記番組素材収録部に収録されるＣＭ素材を上記モニタに表示し、上記操作部から入力されるコメントを上記モニタに表示されたＣＭ素材に対応させて上記番組素材収録部に収録する機能を有するように構成される。
【００２４】
また、本発明の放送素材の収録装置において、上記ＣＭＩＤは、放送確認コードである。
【００２５】
また、本発明の放送素材の収録装置において、更に、時刻検出部を有し、上記時刻検出部は、上記入力部から入力される複数のＣＭ素材から時刻情報を検出し、上記収録制御部は、上記時刻情報に基づいて上記入力部から入力される複数のＣＭ素材をそれぞれ番組素材ＩＤ毎に分割して上記番組素材収録部に収録するように構成される。
【００２６】
更にまた、本発明の放送素材の収録方法は、複数のＣＭ素材が入力される入力部と、上記入力される複数のＣＭ素材が記録されるデータベース部と、上記複数のＣＭ素材に付加されるコードを生成するコード付加部と、上記ＣＭ素材を表示するモニタと、上記データベース部、上記コード付加部および上記モニタを制御する収録制御部および上記収録制御部に接続される操作部を有し、上記データベース部には、番組素材収録部とＣＭ素材収録部を有する放送素材の収録装置において、複数のＣＭ素材が入力されるステップ、上記入力される複数のＣＭ素材をそれぞれ番組素材ＩＤ毎に分割して上記番組素材収録部に収録するステップ、上記番組素材収録部に収録された番組素材ＩＤ毎のＣＭ素材にＣＭＩＤを付加するステップおよびＣＭＩＤを付加された番組素材ＩＤ毎のＣＭ素材をＣＭ素材収録部に収録するステップを有するように構成される。
【発明の効果】
【００２７】
以上説明したように、本発明によれば、信頼性の高い、また、放送された素材の確認が容易な放送素材の収録装置および収録方法が実現できる。特に、ＣＭあるいは番宣素材等において、より確実に、効率の良い収録ができ、また、収録を省力化出来るという特徴がある。
【発明を実施するための最良の形態】
【００２８】
以下、図面を用いて本発明を詳細に説明する。図１は、本発明の一実施例を説明するための概略構成のブロック図を示す。図１において、１０１は、入力端子であり、例えば、ネット回線等の伝送路に接続され、ＣＭあるいは番宣素材等（以下、ＣＭ素材と称する。）が送られてくる。１０２は、収録制御部であり、番組収録の全体を制御する。１０３は、時刻検出部であり、例えば、ＣＭあるいは番宣素材等の先頭に付されている時刻情報を検出する。１０４は、各ＣＭあるいは番宣素材等にそれぞれ放送確認コード（素材ＩＤ）を付加するためのコード（ＩＤ）付加部である。１０５は、オペレータが収録装置を操作するための操作部、１０６は、モニタ、１０７は、データベース部、１０８は、番組素材収録部、１０９は、ＣＭ素材収録部、１１０は、収録サーバ装置、１１１は、放送管理コンピュータ、１１２は、自動放送システム、１１３は、送出制御部および１１４は、番組のオンエアーの時の番組送出端子である。１１５は、収録制御部１０２に設けられた記憶部を表わす。なお、放送管理コンピュータ１１１の記憶部（図示せず）には、例えば、前述したように図１０に示す１日分あるいは１週間分（あるいは１ヶ月分でもよい。）の放送プログラムに必要な複数の素材の放送スケジュールが記憶されている。
【００２９】
次に、本発明の動作を図２〜図８を用いて説明する。図２は、図１に示す本発明の一実施例の一部分の構成を示す図である。図２において、端子２０１は、図１に示す自動放送システム１１２に結合され、端子２０２は、送出制御部１１３に結合される。なお、図１と同じものには、同じ符号が付されている。入力端子１０１には、ネット回線で送られてくる連続したＣＭ素材が供給され、収録制御部１０２に送られる。収録制御部１０２では、前もって番組素材収録の機能に基づいて入力端子１０１から供給される連続したＣＭ素材を各ＣＭ素材毎に分割し、データベース部１０７の番組素材収録部１０８に収録する。即ち、収録制御部１０２の記憶部１１５には、前もって操作部１０５を操作して各ＣＭ素材の番組情報、開始時刻、収録長、回線番号等をセットする。これによって収録制御部１０２では、送られてくる連続したＣＭ素材からそれぞれのＣＭ素材に分割すると共に、番組のＩＤ番号（番組素材ＩＤと称する。）を付す。図３は、分割された番組Ａ（ＣＭ素材Ａに対応する。）の一実施例の内容を示す。なお、ＣＭ素材の分割には、例えば、連続して送られてくるＣＭ素材の先頭部分に添付されている開始時間を時刻検出部１０３で検出し、この時刻検出信号に基づいて収録制御部１０２は、各ＣＭ素材を分割する。
【００３０】
図３において、３０１は、収録番組情報を示し、本実施例の場合、番組Ａ、ＩＤＮｏ．ＰＧ０００１、テーマ名：収録データ編集である。そして、３０２は、開始時間と収録長、即ち、１２時００分００秒に開始し、収録長は、１２時００分００秒〜１３時００分００秒の１時間を表わし、送られてきた回線３０３は、回線Ｎ１であることを示している。なお、図３は、番組Ａ（ＣＭ素材Ａに対応する。）のみを示しているが、実際は、１日分あるいは一週間分のＣＭ素材が送られてくるので、それら全てに付いて各ＣＭ素材毎に分けられ、番組のＩＤ番号が付される。例えば。番組Ｂ、番組Ｃ、・・・（図示せず。）についても同様に行われる。上述のようにして各ＣＭ素材毎に分けられたＣＭ素材は、データベース部１０７の番組素材収録部１０８に記録される。なお、このように番組Ａ、番組Ｂ、番組Ｃ、・・・のように各番組毎に一括して収録する機能は、前述したノンリニア放送システムの番組バンクが持つ収録機能であり、既に放送番組の収録では良く行われている。
【００３１】
次に、上記のようにして番組素材収録部１０８に記録された各ＣＭ素材は、プレビュー機能によりロール分割を行い、放送時に挿入されるＣＭ素材のイベント別リストを作成する。即ち、番組素材収録部１０８に記録された各ＣＭ素材、例えば、番組Ａ（ＣＭ素材Ａに対応する。）は、オペレータが操作部１０５を操作して読み出し、モニタ１０６上に表示する。そして、番組Ａの中に内蔵されているＣＭ素材の数だけイベント別リストを作成する。これについて図４を用いて説明する。図４は、番組Ａ（ＣＭ素材Ａに対応する。）のイベント別リストを示すものである。本実施例の番組Ａ（ＣＭ素材Ａに対応する。）には、１０個のイベントがあることを示している。従って、オペレータは、各イベントごとに番組素材ＩＤ：ＰＧ０００１０１、ＰＧ０００１０２、・・・のＩＤ番号を操作部１０５から入力する。ラップは、各イベントの開始点を表わす。例えば、番組素材ＩＤ：ＰＧ０００１０１のイベントの開始点は、００時００分００秒を表わす。即ち、ＣＭの最初に放送されるイベントを示している。素材長は、放送されるイベントの長さを示し、例えば、番組素材ＩＤ：ＰＧ０００１０１のイベントの長さは、１５秒である。リマークスは、ＣＭ素材のイベントの内容が正しいかどうかを確認するためのコメント欄であり、例えば、Ａ社の「靴」のＣＭにおいて、靴を履いて体操する人がイベントに現われている場合、「体操する人」と言うようなコメントＣＭ１を付す。リマークスは、特に、確認等を行う必要のあるＣＭ素材に付すのが良い。これによって番組Ａ（ＣＭ素材Ａに対応する。）の複数のイベントリストが完成する。このようにして編集されたイベントリストは、再度、番組素材収録部１０８に記録される。なお、上記実施例では、各イベントの番組素材ＩＤは、オペレータが操作部１０５を操作して入力すると説明したが、各イベントの区分は、音声や映像等の変化を検出して自動的に行うことが出きるので、その区分に従って自動的に番組素材ＩＤを付すように構成することもできる。
【００３２】
図２は、この状態を示すもので、例えば、素材ａ１は、番組素材ＩＤ：ＰＧ０００１０１のイベントに対応する。同様に、素材ａ２は、番組素材ＩＤ：ＰＧ０００１０２のイベントに対応する。以下同様である。また、各素材ａ１、ａ２、・・・の先頭のａ１’、ａ２’、・・・は、各イベントの番組素材ＩＤ、ラップ、素材長、リマークス等が記録される。
【００３３】
上記のようにして番組Ａ（ＣＭ素材Ａに対応する。）、番組Ｂ、番組Ｃ、・・・のように複数のイベントリストが完成すると、続いて、ＣＭ素材の一覧表を作成する。即ち、番組素材収録部１０８から各番組のイベントリストを読み出し、これにコード（ＩＤ）付加部１０４でＣＭＩＤ、即ち、放送確認コードを付加し、ＣＭ素材収録部に収録する。これについて図５を用いて説明する。図５は、放送されるＣＭ素材のリストである。このリストは、図４に示されるイベントリストを読み出し、番組素材ＩＤに対応して、ＣＭＩＤ（放送確認コード）を添付すると同時に、素材名を適宜挿入したリストである。ここで、放送確認コード（ＣＭＩＤ）とは、ＣＭ素材が放送された場合、放送されたＣＭ素材が確実に放送されたかどうかを確認するためのコードであり、現在の放送システムでは、記録として残すことが義務づけられているものである。
【００３４】
以上のようにして番組Ａから図５に示すＣＭ素材のリストが完成すると、オペレータは、このＣＭ素材のリストから実際に放送するＣＭ素材を素材名等から選択する。例えば、図６に示すように網掛けしたＣＭＩＤ：ＣＭ０００１、ＣＭ０００４、ＣＭ０００５、ＣＭ０００７およびＣＭ０００８が選択される。この選択は、オペレータがＣＭの内容や放送時間等を勘案して選定することは言うまでもない。このようにして選択された放送用のＣＭ素材は、図７に示すようなリストとしてモニタ１０６上に表示する。ここでは、番組素材ＩＤ、ラップおよびリマークス欄は、空白が表示されている。
【００３５】
この状態で、例えば、前述の番組素材ＩＤを入力すると、設定済みの開始点ラップ及びリマークスが番組素材収録部１０８からそれぞれ読み出され、自動的に表示される。例えば、先に作成した図４に示す番組Ａの複数のイベントリストに基づいて図８に示すようにＣＭＩＤ（放送確認コード）、素材名、素材長、番組素材ＩＤ、開始点ラップ、リマークスが表示される。なお、上記実施例では、番組素材ＩＤを入力するとして説明したが、図４に示す番組Ａのイベントリストと図５に示すＣＭ素材Ａのリストとは、対応関係があるので、例えば、図７において、番組素材ＩＤ：ＰＧ０００１０１を入力すると、他の番組素材のリストが自動的に表示出きるし、また、番組素材ＩＤを入力することなしに自動的に作成することも容易である。このようにして作成された放送用のＣＭ素材リストは、ＣＭ素材収録部１０９に収録される。図２のＣＭ素材収録部１０９は、この状態を示している。なお、ａ１’’、ａ２’’、・・・は、図８に示すＣＭＩＤ（放送確認コード）、素材名、素材長、番組素材ＩＤ、開始点ラップ、リマークスが記録される。なお、全てのＣＭ素材のリストを作成し、確認した後は、番組素材収録部１０８に収録された各番組（ＣＭ素材に対応する。）は、番組素材収録部１０８から削除され、新たな番組素材の収録に用いられる。
【００３６】
従って、オペレータは、モニタ１０６上で表８に示される放送されるＣＭ素材の一覧を見ることにより、素材名、リマークスからＣＭが正しく収録されていることが確認できる。また、ＣＭＩＤ（放送確認コード）も番組素材ＩＤに対応して自動的に付与されるので、付与もれがなくなるという特徴がある。このように本発明では、放送用のＣＭ素材の収録を従来の番組素材収録の機能を用いることで、自動的に収録が可能となり、また、素材名やリマークスを付加できるので、放送用のＣＭ素材の確認が容易となる等の特徴がある。なお、上記実施例における図３〜図８の各図に示す項目は、一実施例であり、放送システムの構成、放送する内容等によって適宜変更、追加されることは言うまでもない。
【００３７】
このようにして収録されたＣＭ素材は、放送管理コンピュータ１１１の制御に基づいて自動放送される。即ち、放送管理コンピュータ１１１は、放送業務に関する全てのデータを管理する働きをするもので、例えば、１日分あるいは１週間分の放送プログラムに必要な複数のＣＭ素材の放送スケジュールが図１０に示されるように対応するＣＭ素材のそれぞれが放送される順番に収録されている放送進行データとして放送管理コンピュータ１１１に保持され、それを自動放送システム１１２に供給する処理を行う。
【００３８】
自動放送システム１１２は、図１０の放送スケジュール表に従って、まず、各々のＣＭ素材の放送開始時刻の所定時間前になったとき、そのＣＭ素材のＣＭＩＤを送出制御部１１３に供給する。次に、各々のＣＭ素材の放送開始時刻になったとき、その素材の放送開始命令を送出制御部１１３に供給する。データベース部１０７のＣＭ素材収録部１０９は、磁気ディスク装置、光ディスク装置、ＤＶＤ（Digital Versatile Disk）装置等のランダムアクセスが可能な記録装置で構成され、放送プログラム１日分あるいは１週間分のＣＭ素材を前述した方法で収録されており、送出制御部１１３の制御のもとで動作するようになっている。従って、送出制御部１１３は、自動放送システム１１２から供給されたＣＭ素材ＩＤを用いてデータベース部１０７のＣＭ素材収録部１０９内のＣＭ素材を検索し、キューアップ(放送開始可能状態にすること)し、ＣＭ素材の放送開始命令に応じて、順次、キューアップされたＣＭ素材をＣＭ素材収録部１０９から読み出して番組送出端子１１４から送出する。これにより自動放送システムとしての動作を行なう。
【００３９】
また、収録サーバ装置１１０に接続されるモニタ（図示せず。）には、放送業務の現在の進行状況を表示するようになされている。このモニタには、例えば、現在放送しているＣＭ素材を含む番組の放送確認コード、番組名、放送開始時刻、素材の長さ等、現在放送中の素材のデータ及び次に放送する予定の素材のデータなどが表示される。従って、このノンリニア放送システムによれば、モニタを見ることにより、放送プログラムが予定通りに進んでいるか否かを知り、放送進行状況を確認することができる。また、必要に応じて記録し、放送内容を確認することもできる。
【００４０】
以上、本発明について詳細に説明したが、本発明は、ここに記載された放送素材の収録装置および収録方法の実施例に限定されるものではなく、上記以外の放送素材の収録装置および収録方法に広く適応することが出来ることは、言うまでも無い。
【図面の簡単な説明】
【００４１】
【図１】本発明の一実施例の概略構成のブロック図を示す。
【図２】図１で示される本発明の一実施例の一部分の概略構成のブロック図を示す。
【図３】本発明の一実施例の分割された番組Ａの内容を示す図である。
【図４】本発明の一実施例の番組Ａのイベント別リストの内容を示す図である。
【図５】本発明の一実施例の番組ＡのＣＭ素材のリストの内容を示す図である。
【図６】本発明の一実施例の番組ＡのＣＭ素材のリストの選択内容を示す図である。
【図７】本発明の一実施例の番組ＡのＣＭ素材の選択されたリストのモニタ上の表示画面を示す図である。
【図８】本発明の一実施例の番組ＡのＣＭＩＤと番組素材ＩＤを対応付けたＣＭ素材をモニタ上に表示した図である。
【図９】従来の放送システムの一例を説明するための図である。
【図１０】従来の放送スケジュール表の一例を示す図である。
【図１１】従来のＣＭあるいは番宣素材等の収録の一例を概念的に説明するための図である
【図１２】従来のＣＭあるいは番宣素材等の収録の他の一例を概念的に説明するための図である。
【図１３】従来のＣＭあるいは番宣素材等の収録の更に他の一例を概念的に説明するための図である。
【符号の説明】
【００４２】
１０１、１１０１、１２０１、１３０１：入力端子、１０２：収録制御部、１０３：時刻検出部、１０４、１２０３、１３０２：コード付加部、１０５：操作部、１０６、９０５：モニタ、１０７：データベース部、１０８：番組素材収録部、１０９：ＣＭ素材収録部、１１０：収録サーバ装置、１１１、９０１：放送管理コンピュータ、１１２、９０２：自動放送システム、１１３、９０３：放送制御部、１１４、１１０３、１２０５、１３０４：出力端子、１１５：記憶部、２０１：自動放送システムとの接続端子、２０２：送出制御部との接続端子、９０４、１１０２、１２０４、１３０３：収録素材のデータベース、９０６：番組素材、９０７：送出素材、１２０２：ＶＴＲ。
【図１】
0004734102.tif 000002
【図２】
0004734102.tif 000003
【図３】
0004734102.tif 000004
【図４】
0004734102.tif 000005
【図５】
0004734102.tif 000006
【図６】
0004734102.tif 000007
【図７】
0004734102.tif 000008
【図８】
0004734102.tif 000009
【図９】
0004734102.tif 000010
【図１０】
0004734102.tif 000011
【図１１】
0004734102.tif 000012
【図１２】
0004734102.tif 000013
【図１３】
0004734102.tif 000014